(57)【要約】【課題】受信部が発光モジュールからの熱の影響を受けにくく、受信部の受信強度を確保できる照明器具を提供する。【解決手段】発光モジュール11は、発光素子21を有する。放熱器12は、下面に発光モジュール11を配設する光源取付部26、および光源取付部26の上面から突出する複数の放熱フィン27を有する。本体シャーシ13は、放熱器12の上方に空間をあけて配設される電源取付部32を有し、放熱器12を支持する。電源部14は、電源取付部32の上側に配設される。アーム15は、電源部14の上方に空間をあけて配設される設置部44、および設置部44の両端に設けられ本体シャーシ13に連結される一対の側部45を有する。受信部50は、放熱器12よりも上方で、本体シャーシ13、電源部14およびアーム15のいずれかに配設され、電源部14を制御する無線信号を受信する。【選択図】図１
2020170730.tif 000002
【特許請求の範囲】
【請求項１】
発光素子を有する発光モジュールと；
下面に前記発光モジュールを配設する光源取付部と； 
前記光源取付部を支持する本体シャーシと； 
前記本体シャーシを支持する一対の側部を有するアームと； 
前記本体シャーシよりも上方に配設される電源部と；
制御部と無線信号を受信し前記制御部に受信した信号を送る受信部とを有し、前記制御部は前記電源部に配設されるとともに、前記電源部に点灯状態を制御する信号を出力する無線モジュールと； 
を具備することを特徴とする照明器具。
【請求項２】
前記受信部は、前記アームの前記側部に配設されている
ことを特徴とする請求項１記載の照明器具。
【発明の詳細な説明】
【技術分野】
【０００１】
本発明の実施形態は、無線制御可能とする照明器具に関する。
【背景技術】
【０００２】
従来、無線制御可能とする照明器具では、リモートコントローラから送信されてくる無線信号を受信部で受信し、この受信した無線信号に応じて光源を調光制御している。
【０００３】
また、例えば、施設などの天井が高い空間の照明に用いられる高天井用の照明器具がある。この高天井用の照明器具では、発光素子を有する発光モジュールが用いられ、この発光モジュールが放熱器の下面に取り付けられている。放熱器の上面には発光素子が発生する熱を放熱するための複数の放熱フィンが突出されている。放熱器はこの放熱器の上方に配設される本体シャーシに支持され、この本体シャーシ上に電源部が配設されている。本体シャーシには天井などに設置するためのアームが連結されている。
【０００４】
このような高天井用の照明器具において、無線制御可能とするために受信部を配設する場合、受信部を配設する場所によっては、受信部が発光モジュールからの熱の影響を受けたり、受信部の受信強度が低くなるおそれがある。
【先行技術文献】
【特許文献】
【０００５】
【特許文献１】特開２０１５−３７０４２号公報
【特許文献２】特開２０１３−２０１０８０号公報
【発明の概要】
【発明が解決しようとする課題】
【０００６】
本発明が解決しようとする課題は、受信部が発光モジュールからの熱の影響を受けにくく、受信部の受信強度を確保できる照明器具を提供することである。
【課題を解決するための手段】
【０００７】
実施形態の照明器具は、発光素子を有する発光モジュールと、 下面に前記発光モジュールを配設する光源取付部と、前記光源取付部を支持する本体シャーシと、前記本体シャーシを支持する一対の側部を有するアームと、前記本体シャーシよりも上方に配設される電源部と、制御部と無線信号を受信し前記制御部に受信した信号を送る受信部とを有し、前記制御部は前記電源部に配設されるとともに、前記電源部に点灯状態を制御する信号を出力する無線モジュールと、を具備している。 
【発明の効果】
【０００８】
本発明によれば、受信部が発光モジュールからの熱の影響を受けにくく、受信部の受信強度を確保することが期待できる。
【図面の簡単な説明】
【０００９】
【図１】一実施形態を示す照明器具の斜視図である。
【図２】同上照明器具を用いた照明システムのブロック図である。
【発明を実施するための形態】
【００１０】
以下、一実施形態を、図１および図２を参照して説明する。
【００１１】
図１に示すように、照明器具10は、例えば、施設などの天井が高い空間の照明に用いられる高天井用照明器具である。
【００１２】
照明器具10は、発光モジュール11、この発光モジュール11を取り付けた放熱器12、この放熱器12を支持した本体シャーシ13、この本体シャーシ13上に取り付けられた電源部14、本体シャーシ13を支持するアーム15、および無線モジュール16を備えている。
【００１３】
そして、発光モジュール11は、基板20、およびこの基板20の一面に実装された複数の発光素子21を備えている（なお、図１には発光素子21の一部を図示し、他は図示を省略している）。発光素子21は、例えばＬＥＤが用いられるが、有機ＥＬなどの他の発光素子を用いてもよい。基板20の他面が放熱器12の下面に配設され、発光モジュール11が放熱器12に熱的に接続されている。
【００１４】
発光モジュール11は、放熱器12の下面に取り付けられる透光カバー22によって覆われている。
【００１５】
また、放熱器12は、光源取付部26、およびこの光源取付部26の上面から突出する複数の放熱フィン27を備えている。放熱器12は、例えばアルミニウムなどの金属材料によって形成されている。光源取付部26と各放熱フィン27とは別体とし、光源取付部26の上面に複数設けられたスリットに各放熱フィン27を差し込んで固定してもよいし、光源取付部26および放熱フィン27を例えば押出成形によって一体に形成してもよい。
【００１６】
また、本体シャーシ13は、放熱器12の上方に空間31をあけて対向するように配設される電源取付部32、およびこの電源取付部32の両側に設けられて放熱器12に連結される支持部33を有している。本体シャーシ13は、例えば金属板によって形成されている。
【００１７】
また、電源部14は、本体シャーシ13の電源取付部32の上側に取り付けられている。電源部14は、電源取付部32の上側に取り付けられる電源ボックス37、およびこの電源ボックス37内に収容される電源回路38を備えている。さらに、電源ボックス37は、この電源ボックス37の上側に設けられる端子台ボックス39を備えている。この端子台ボックス39内に交流電源入力用の端子台（図示せず）が配設されている。そして、電源部14（電源回路38）は、交流電源を入力し、交流電源を所定の直流電源に変換して発光モジュール11の発光素子21に供給し、発光素子21を点灯させる。さらに、電源部14（電源回路38）は、無線モジュ
ール16から調光信号を入力し、この調光信号に応じて発光素子21を調光制御する。
【００１８】
また、アーム15は、電源部14の上方に所定の空間43をあけて対向するように配設される設置部44、およびこの設置部44の両端に設けられて本体シャーシ13に連結された一対の側部45を備えている。側部45の先端は、本体シャーシ13に取り付けられた連結金具46に回動調整可能に取り付けられている。
【００１９】
また、無線モジュール16は、所定の周波数の無線信号を受信する受信部50、この受信部50で受信した無線信号に応じた調光信号を電源部14（電源回路38）に出力する制御部51、およびこれら受信部50と制御部51とを電気的に接続する接続線52を備えている。無線信号は、発光素子21の点灯状態を制御する信号であり、調光情報が含まれている。受信部50は、無線信号を受信するアンテナを有し、受信した信号を制御部51に送る。制御部51は、受信部50から入力する信号に応じた例えばＰＷＭ信号などの調光信号を電源部14（電源回路38）に出力する。
【００２０】
そして、照明器具10に配設される無線モジュール16の受信部50は、照明器具10に容易に配設でき、発光モジュール11からの熱の影響を受けにくく、受信強度を確保できる位置に配設されている。この位置は、放熱器12（放熱フィン27）よりも上方の位置である。
【００２１】
受信部50の位置は、放熱器12（放熱フィン27）よりも上方であれば、本体シャーシ13の上面の位置ａや側面の位置ｂ、あるいは、電源部14の上面の位置ｃや側面の位置ｄ、あるいは、アーム15の設置部44の下面の位置ｅや側部45の内面側の位置ｆまたは外面側の位置ｇなどのいずれでもよい。
【００２２】
照明器具10に容易に配設でき、発光モジュール11からの熱の影響を受けにくく、受信強度を確保するうえで、好ましい受信部50の位置は、アーム15の側部45の内面側の位置ｆまたは外面側の位置ｇがある。さらに、受信部50と制御部51との配線距離が短く、外観を考慮して受信部50が外部から見えにくくするうえで、より好ましい受信部50の位置は、本実施形態に示すアーム15の側部45の内面側の位置ｆがある。
【００２３】
制御部51は、受信部50および電源部14（電源回路38）にそれぞれ電気的に接続されるため、受信部50および電源部14のそれぞれに近い位置に配設することが好ましい。例えば、本実施形態に示す電源部14の電源ボックス37内が好ましい。電源ボックス37内に配設される場合、電源ボックス37に接続線52が通過する配線孔37aが形成される。
【００２４】
なお、制御部51は、受信部50と一緒に受信部50が配設される各位置ａ〜ｇに配設してもよい。この場合、受信部50と制御部51とは一体形であってもよい。
【００２５】
また、図２に、照明器具10を用いた照明システムを示す。照明システムでは、例えばタブレット型端末やスマートフォンなどの携帯端末を含む端末56によって照明器具10の照明状態を操作する。
【００２６】
端末56での照明状態の操作により、端末56から所定の第１の周波数の無線信号を送信し、この無線信号をコントローラ57が受信し、このコントローラ57から第１の周波数とは異なる所定の第２の周波数の無線信号を送信し、この無線信号を照明器具10の受信部50が受信し、照明器具10の照明状態が切り換わる。
【００２７】
そして、本実施形態の照明器具10によれば、無線モジュール16の受信部50を放熱器12（放熱フィン27）よりも上方に配設することにより、受信部50が発光モジュール11からの熱の影響を受けにくく、受信部50の受信強度を確保することができる。
【００２８】
また、受信部50は、放熱器12（放熱フィン27）よりも上方であれば、本体シャーシ13、電源部14およびアーム15のいずれに配設してもよいが、アーム15の側部45に配設することにより、受信部50が発光モジュール11からの熱の影響を受けにくく、受信部50の受信強度を確保できるうえに、受信部50を容易に取り付けることができる。
【００２９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３０】
10    照明器具
11    発光モジュール
12    放熱器
13    本体シャーシ
14    電源部
15    アーム
21    発光素子
26    光源取付部
27    放熱フィン
32    電源取付部
44    設置部
45    側部
50    受信部
【図１】
2020170730.tif 000003
【図２】
2020170730.tif 000004